(57)【特許請求の範囲】
【請求項１】
（Ａ）２−アミノ−２−エチル−１，３−プロパンジオール、２−アミノ−２−メチル−１，３−プロパンジオール及び２−アミノ−２−メチル−１−プロパノールから成る群より選択される少なくとも１種のアルカノールアミン、
（Ｂ）アミラーゼ、及び
（Ｃ）アミンオキシド
を含有する洗浄剤組成物。
【請求項２】
（Ｃ）アミンオキシドが、下記式（１）で表されるアルキルアミンオキシドである、請求項１に記載の洗浄剤組成物。
【化３】
0006961114.tif 000005
（式（１）中、Ｒ１はＣ８〜Ｃ１８アルキルであり、Ｒ２及びＲ３はそれぞれ独立して、水素原子、メチル基、エチル基、プロピル基、イソプロピル基、２−ヒドロキシエチル基、２−ヒドロキシプロピル基又は３−ヒドロキシプロピル基である。）
【請求項３】
（Ｄ）非イオン性界面活性剤を更に含有する、請求項１又は２に記載の洗浄剤組成物。
【請求項４】
（Ｄ）非イオン性界面活性剤が、ポリオキシエチレン−ポリオキシプロピレン縮合物を含む、請求項３に記載の洗浄剤組成物。
【請求項５】
（Ｅ）プロテアーゼを更に含有する、請求項１から４のいずれか１項に記載の洗浄剤組成物。
【請求項６】
洗浄剤組成物中の（Ａ）アルカノールアミンと（Ｂ）アミラーゼの含有量の比が、（Ａ）アルカノールアミンの含有量を１質量部としたときに、（Ｂ）アミラーゼが０．０５〜１０質量部である、請求項１から５のいずれか１項に記載の洗浄剤組成物。
【請求項７】
洗浄剤組成物中の（Ａ）アルカノールアミンと（Ｃ）アミンオキシドの含有量の比が、（Ａ）アルカノールアミンの含有量を１質量部としたときに、（Ｃ）アミンオキシドが０．３〜３０質量部である、請求項１から６のいずれか１項に記載の洗浄剤組成物。
【請求項８】
食器洗浄用である、請求項１から７のいずれか１項に記載の洗浄剤組成物。
【請求項９】
前浸漬用である、請求項１から８のいずれか１項に記載の洗浄剤組成物。
【請求項１０】
請求項１から９のいずれか１項に記載の洗浄剤組成物を０．００１質量％〜５０質量％含有する洗浄液に食器を１分〜２４時間浸漬する工程を含む、食器の洗浄方法。
【発明の詳細な説明】
【技術分野】
【０００１】
本発明は、新規の洗浄剤組成物及びそれを用いた洗浄方法に関する。
【背景技術】
【０００２】
大量の食器、調理器具等の洗浄が必要なレストラン、ホテル、学校給食の現場等においては、作業の効率化、衛生上の観点から自動食器洗浄機等が広く使用されている。その際、食器や調理器具に固着した米飯等の汚れは簡単に洗浄できるものではないため、前浸漬や前洗浄が行われる場合がある。このような前浸漬等のための洗浄剤としては、例えば、アルキルベンゼンスルホン酸ナトリウムやアルキル硫酸エステルナトリウム等のアニオン界面活性剤やポリオキシエチレンアルキルエーテル等の非イオン界面活性剤を主成分とした洗浄剤組成物（特許文献１）、特定のカルボン酸類及び／又は特定の無機塩類を含有する洗浄剤組成物（特許文献２）、アルカノールアミン、アミノカルボン酸若しくはその塩、有機ホスホン酸若しくはその塩より選ばれる１種又は２種以上、酵素、及び界面活性剤を含有する前浸漬用洗浄剤組成物であって、前記組成物中の前記界面活性剤の含有量が１質量％以下である物等が知られている（特許文献３）。
【０００３】
従来の前浸漬用洗浄剤組成物のうち、酵素が含まれていない組成物は保存安定性の問題はないものの、米飯等の汚れに対する洗浄力は十分とはいえない場合が多い。一方、酵素が含まれている前浸漬用洗浄剤組成物は、洗浄力には優れているものの、組成物中の酵素の保存安定性は十分とはいえない場合が多い。
【先行技術文献】
【特許文献】
【０００４】
【特許文献１】特開２００７−７０３８０号公報
【特許文献２】特開２００４−１９６９０１号公報
【特許文献３】特開２０１４−９３５５号公報
【発明の概要】
【発明が解決しようとする課題】
【０００５】
本発明は、かかる状況に鑑みてなされたものであり、十分な洗浄力と保存安定性（酵素安定性）を兼ね備えた洗浄剤組成物、特に前浸漬用の洗浄剤組成物を提供することを目的とする。さらに、本発明者らは、酵素を含む洗浄剤組成物が、配合成分によっては変色や層分離を起こすという新たな課題にも直面した。そこで、本発明は保存中に変色や層分離等を起こさず、外観安定性に優れた洗浄剤組成物を提供することも目的とする。
【課題を解決するための手段】
【０００６】
本発明者らは、上記の課題を解決するために鋭意研究した結果、酵素としてアミラーゼを含有する洗浄剤組成物において、２−アミノ−２−エチル−１，３−プロパンジオール、トリスヒドロキシメチルアミノメタン、２−アミノ−２−メチル−１，３−プロパンジオール及び２−アミノ−２−メチル−１−プロパノールから成る群より選択される少なくとも１種のアルカノールアミンを配合することで、洗浄力及び保存安定性に優れると共に、変色や層分離等を起こさず、外観安定性にも優れる洗浄剤組成物を提供できることを見出し、本発明を完成させた。すなわち、本発明の要旨は以下のとおりである。
【０００７】
［１］（Ａ）２−アミノ−２−エチル−１，３−プロパンジオール、トリスヒドロキシメチルアミノメタン、２−アミノ−２−メチル−１，３−プロパンジオール及び２−アミノ−２−メチル−１−プロパノールから成る群より選択される少なくとも１種のアルカノールアミン、及び
（Ｂ）アミラーゼ
を含有する洗浄剤組成物。
［２］（Ｃ）アミンオキシドを更に含有する、［１］に記載の洗浄剤組成物。
［３］（Ｃ）アミンオキシドが、下記式（１）で表されるアルキルアミンオキシドである、［１］又は［２］に記載の洗浄剤組成物。
【化１】
0006961114.tif 000002
（式（１）中、Ｒ１はＣ８〜Ｃ１８アルキルであり、Ｒ２及びＲ３はそれぞれ独立して、水素原子、メチル基、エチル基、プロピル基、イソプロピル基、２−ヒドロキシエチル基、２−ヒドロキシプロピル基又は３−ヒドロキシプロピル基である。）
［４］（Ｄ）非イオン性界面活性剤を更に含有する、［１］から［３］のいずれかに記載の洗浄剤組成物。
［５］（Ｄ）非イオン性界面活性剤が、ポリオキシエチレン−ポリオキシプロピレン縮合物を含む、［４］に記載の洗浄剤組成物。
［６］（Ｅ）プロテアーゼを更に含有する、［１］から［５］のいずれかに記載の洗浄剤組成物。
［７］洗浄剤組成物中の（Ａ）アルカノールアミンと（Ｂ）アミラーゼの含有量の比が、（Ａ）アルカノールアミンの含有量を１質量部としたときに、（Ｂ）アミラーゼが０．０５〜１０質量部である、［１］から［６］のいずれかに記載の洗浄剤組成物。
［８］洗浄剤組成物中の（Ａ）アルカノールアミンと（Ｃ）アミンオキシドの含有量の比が、（Ａ）アルカノールアミンの含有量を１質量部としたときに、（Ｃ）アミンオキシドが０．３〜３０質量部である、［２］から［７］のいずれかに記載の洗浄剤組成物。
［９］食器洗浄用である、［１］から［８］のいずれかに記載の洗浄剤組成物。
［１０］前浸漬用である、［１］から［９］のいずれかに記載の洗浄剤組成物。
［１１］［１］から［１０］のいずれかに記載の洗浄剤組成物を０．００１質量％〜５０質量％含有する洗浄液に食器を１分〜２４時間浸漬する工程を含む、食器の洗浄方法。
【発明の効果】
【０００８】
本発明の洗浄剤組成物は、酵素としてアミラーゼを含有することで米飯等が固着した汚れに対する洗浄力に優れると共に、長期保存後も洗浄力の低下が起こり難く、さらに変色や層分離といった外観上の劣化も起こり難い。そのため、本発明の洗浄剤組成物は、大量の食器、調理器具等の洗浄が必要なレストラン、ホテル、学校給食の現場等において、自動食器洗浄機での洗浄の前の浸漬用の洗浄剤として、好適に用いられ得る。
【発明を実施するための形態】
【０００９】
以下、本発明について詳細に説明する。なお、本明細書中で使用される用語は、特に言及しない限り、当該技術分野で通常用いられる意味で解釈される。
【００１０】
＜洗浄剤組成物＞
本発明の洗浄剤組成物は、（Ａ）２−アミノ−２−エチル−１，３−プロパンジオール、トリスヒドロキシメチルアミノメタン、２−アミノ−２−メチル−１，３−プロパンジオール及び２−アミノ−２−メチル−１−プロパノールから成る群より選択される少なくとも１種のアルカノールアミン（以下、単に「（Ａ）アルカノールアミン」ともいう）、及び（Ｂ）アミラーゼを含有する。本発明の洗浄剤組成物は、これらの成分を組み合わせて含有することで、米飯等が固着したような強固な汚れに対する洗浄力に優れると共に、長期保存後も洗浄力の低下が起こり難く保存安定性（酵素安定性）に優れ、さらに変色、白濁、層分離といった外観上の劣化も起こり難い（外観安定性に優れる）という効果を奏する。
【００１１】
本発明の洗浄剤組成物は、上記の成分に加えて（Ｃ）アミンオキシドを含有することが好ましい。また、（Ｄ）非イオン性界面活性剤、（Ｅ）プロテアーゼを含有することが好ましい。本発明の洗浄剤組成物は、（Ａ）アルカノールアミン、（Ｂ）アミラーゼ、（Ｃ）アミンオキシド、（Ｄ）非イオン性界面活性剤、（Ｅ）プロテアーゼ以外にも、本発明の効果を損なわない範囲でその他の任意成分を含有してもよい。以下に各成分について詳細に説明する。
【００１２】
［（Ａ）アルカノールアミン］
本発明の洗浄剤組成物は、（Ａ）アルカノールアミンとして、２−アミノ−２−エチル−１，３−プロパンジオール、トリスヒドロキシメチルアミノメタン、２−アミノ−２−メチル−１，３−プロパンジオール及び２−アミノ−２−メチル−１−プロパノールから成る群より選択される少なくとも１種を含有する。本発明の洗浄剤組成物は、（Ａ）アルカノールアミンを含有することで、洗浄力に優れるだけでなく、変色や層分離等が起こることがなく、外観安定性にも優れる。なお、本発明の洗浄剤組成物は上記（Ａ）アルカノールアミンを１種単独で含有してもよいし、複数種を含有していてもよい。
【００１３】
モノエタノールアミン等のアルカノールアミンを、（Ｂ）アミラーゼ等の他の成分と組み合わせて配合して洗浄剤組成物を調製したところ、黄変、白濁、層分離等が起き、外観安定性が不十分となるという課題に直面した。そこで、多くのアルカノールアミンの中から、アミラーゼ等の他の成分との組み合わせにおいて、黄変、白濁、層分離等の外観の劣化が生じさせないアルカノールアミンを鋭意探索したところ、本発明における（Ａ）アルカノールアミンを採用した場合には、この課題を解決でき、外観安定性を向上させることができることを見出した。
【００１４】
（Ａ）アルカノールアミンとしては、２−アミノ−２−エチル−１，３−プロパンジオール、トリスヒドロキシメチルアミノメタン、２−アミノ−２−メチル−１，３−プロパンジオール、２−アミノ−２−メチル−１−プロパノールのうち、本発明の洗浄剤組成物の保存安定性の観点、外観安定性の観点から、２−アミノ−２−エチル−１，３−プロパンジオール、トリスヒドロキシメチルアミノメタンが好ましく、２−アミノ−２−エチル−１，３−プロパンジオールがより好ましい。
【００１５】
本発明の洗浄剤組成物における（Ａ）アルカノールアミンの含有量は、０．０１質量％以上３０質量％以下の範囲であり、洗浄力の観点から０．１質量％以上が好ましく、０．５質量％以上がより好ましく、１質量％以上が更に好ましい。また、洗浄剤組成物の安定性の観点から、２０質量％以下が好ましく、１０質量％以下がより好ましく、５質量％以下であることが更に好ましい。（Ａ）アルカノールアミンの含有量の数値範囲としては、０．１質量％以上２０質量％以下であることが好ましく、０．５質量％以上１０質量％以下であることがより好ましく、１質量％以上５質量％以下であることが更に好ましい。
【００１６】
［（Ｂ）アミラーゼ］
本発明の洗浄剤組成物における（Ｂ）アミラーゼとしては、デンプンを分解する酵素であって、中性又はアルカリ性の水溶液中で作用できるアミラーゼであれば特に限定されないが、細菌、植物、動物等に由来のものが好ましく、中でもα−アミラーゼが好ましい。例えば、Ｔｅｒｍａｍｙｌ（登録商標）シリーズ、Ｄｕｒａｍｙｌ（登録商標）シリーズ、Ｓｔａｉｎｚｙｍｅ（登録商標）シリーズ（ノボザイムズ社製）、ＰＲＥＦＥＲＥＮＺ（登録商標）シリーズ、ＥＦＦＥＣＴＥＮＺ（登録商標）シリーズ（デュポン社製）、クライスターゼ（登録商標）シリーズ（天野エンザイム社製）等の製品名のアミラーゼが挙げられる。
【００１７】
本発明の洗浄剤組成物における（Ｂ）アミラーゼの含有量は、０．０５質量％以上３０質量％以下であり、洗浄力の観点から０．１質量％以上であることが好ましく、０．３質量％以上であることがより好ましく、０．４質量％以上であることが更に好ましく、０．５質量％以上であることが特に好ましい。また、コストの観点から２０質量％以下であることが好ましく、１５質量％以下であることがより好ましく、１０質量％以下であることが更に好ましく、５質量％以下であることが特に好ましい。（Ｂ）アミラーゼの含有量の数値範囲としては、０．１質量％以上２０質量％以下であることが好ましく、０．３質量％以上１５質量％以下であることがより好ましく、０．４質量％以上１０質量％以下であることが更に好ましく、０．５質量％以上５質量％以下であることが特に好ましい。
【００１８】
本発明の洗浄剤組成物中の（Ａ）アルカノールアミンと（Ｂ）アミラーゼの含有量の比は、（Ａ）アルカノールアミンの含有量を１質量部としたときに、（Ｂ）アミラーゼが０．０５〜１０質量部であり、０．０８〜８質量部であることが好ましく、０．１〜５質量部であることがより好ましく、０．２〜３質量部であることが更に好ましく、０．３〜２質量部であることが特に好ましい。
【００１９】
［（Ｃ）アミンオキシド］
本発明の洗浄剤組成物における（Ｃ）アミンオキシドとしては、上述の（Ａ）アルカノールアミン、（Ｂ）アミラーゼとの組み合わせで、洗浄剤組成物の安定性、洗浄力のいずれも満足する化合物であれば特に限定されないが、このような化合物としては、アルキルアミンオキシドが好ましく、中でも下記式（１）で表されるアルキルアミンオキシドがより好ましい。（Ｃ）アミンオキシドとして、下記式（１）で表されるアルキルアミンオキシドを採用することで、後述する（Ｄ）非イオン性界面活性剤を水に溶解し易くできるという利点もある。なお、本発明の洗浄剤組成物は上記（Ｃ）アミンオキシドを１種単独で含有してもよいし、複数種を含有していてもよい。
【００２０】
【化２】
0006961114.tif 000003
【００２１】
上記式（１）中、Ｒ１はＣ８〜Ｃ１８アルキルであり、Ｒ２及びＲ３はそれぞれ独立して、水素原子、メチル基、エチル基、プロピル基、イソプロピル基、２−ヒドロキシエチル基、２−ヒドロキシプロピル基又は３−ヒドロキシプロピル基である。
【００２２】
Ｒ１としては、Ｃ８〜Ｃ１６アルキルであることが好ましく、Ｃ８〜Ｃ１４アルキルであることがより好ましく、Ｃ８、Ｃ１０、Ｃ１２又はＣ１４であることが更に好ましい。Ｒ２及びＲ３としては、水素原子、メチル基、エチル基、プロピル基又はイソプロピル基であることが好ましく、水素原子、メチル基又はエチル基であることがより好ましく、メチル基であることが更に好ましい。
【００２３】
（Ｃ）アミンオキシドとしては、Ｃ８〜１８のアルキルジメチルアミンオキシドが好ましく、Ｃ８〜１６のアルキルジメチルアミンオキシドがより好ましく、Ｃ８、Ｃ１０、Ｃ１２又はＣ１４のアルキルジメチルアミンオキシドが更に好ましく、オクチルジメチルアミンオキシド、デシルジメチルアミンオキシドが特に好ましい。
【００２４】
本発明の洗浄剤組成物における（Ｃ）アミンオキシドの含有量は、０．０３質量％以上１５質量％以下の範囲であり、洗浄力の観点から、０．１５質量％以上であることが好ましく、０．３質量％以上であることがより好ましく、０．６質量％以上であることが更に好ましく、１．５質量％以上であることが特に好ましい。また、洗浄剤組成物の安定性の観点から、１２質量％以下であることがより好ましく、９質量％以下であることがより好ましく、６質量％以下であることが更に好ましく、４．５質量％以下であることが特に好ましい。（Ｃ）アミンオキシドの含有量の数値範囲としては、０．１５質量％以上１２質量％以下であることが好ましく、０．３質量％以上９質量％以下であることがより好ましく、０．６質量％以上６質量％以下であることが更に好ましく、１．５質量％以上４．５質量％以下であることが特に好ましい。
【００２５】
本発明の洗浄剤組成物中の（Ａ）アルカノールアミンと（Ｃ）アミンオキシドの含有量の比は、（Ａ）アルカノールアミンの含有量を１質量部としたときに、（Ｃ）アミンオキシドが０．３〜３０質量部であり、０．３〜１５質量部であることが好ましく、０．３〜９質量部であることがより好ましく、０．３〜６質量部であることが更に好ましく、０．３〜３質量部であることが特に好ましい。
【００２６】
［（Ｄ）非イオン性界面活性剤］
本発明の洗浄剤組成物における（Ｄ）非イオン性界面活性剤は、洗浄力を向上させるための成分であり、非イオン性界面活性剤に分類されるものであれば特に限定されないが、例えば、プルロニック（登録商標）型ブロックポリマー、リバースプルロニック（登録商標）型ブロックポリマー、テトロニック型ブロックポリマー、リバーステトロニック型ブロックポリマー等のポリオキシエチレン−ポリオキシプロピレン縮合物；ポリオキシエチレンアルキルエーテル、ポリオキシプロピレンアルキルエーテル、ポリオキシエチレン−ポリオキシプロピレンアルキルエーテル等のポリオキシアルキレンアルキルエーテル；ポリオキシエチレンアルキルフェニルエーテル、ポリオキシエチレンスチレン化フェニルエーテル、アルキルグリコシド、アルキルポリグリコシド、ポリオキシエチレンアルキルアミン、グリセリン脂肪酸エステル、ポリグリセリン脂肪酸エステル、ショ糖脂肪酸エステル、ソルビタン脂肪酸エステル、アルキルグリセロール、ポリグリセリンアルキルエーテル等が挙げられる。これらのうち、ポリオキシエチレン−ポリオキシプロピレン縮合物、ポリオキシアルキレンアルキルエーテルが好ましく、中でもプルロニック（登録商標）型ブロックポリマー、リバースプルロニック（登録商標）型ブロックポリマー、ポリオキシエチレンアルキルエーテル、ポリオキシプロピレンアルキルエーテル、ポリオキシエチレン−ポリオキシプロピレンアルキルエーテルがより好ましく、プルロニック（登録商標）型ブロックポリマー、リバースプルロニック（登録商標）型ブロックポリマーが更に好ましい。なお、本発明の洗浄剤組成物は、（Ｄ）非イオン性界面活性剤を、一種単独で含有してもよいし、複数種を含有してもよい。
【００２７】
本発明の洗浄剤組成物における（Ｄ）非イオン性界面活性剤の含有量は、０．０５質量％以上８０質量％以下であり、洗浄力の観点から０．１質量％以上であることが好ましく、０．５質量％以上であることがより好ましく、１質量％以上であることが更に好ましく、５質量％以上であることが特に好ましく、１０質量％以上であることが最も好ましい。また、洗浄剤組成物の安定性の観点から６０質量％以下であることが好ましく、５０質量％以下であることがより好ましく、４０質量％以下であることが更に好ましく、３０質量％以下であることが特に好ましく、２５質量％以下であることが最も好ましい。（Ｄ）非イオン性界面活性剤の含有量の数値範囲としては、０．１質量％以上６０質量％以下であることが好ましく、０．５質量％以上５０質量％以下であることがより好ましく、１質量％以上４０質量％以下であることが更に好ましく、５質量％以上３０質量％以下であることが特に好ましく、１０質量％以上２５質量％以下であることが最も好ましい。
【００２８】
［（Ｅ）プロテアーゼ］
本発明の洗浄剤組成物における（Ｅ）プロテアーゼは、タンパク質を分解する酵素であって、中性又はアルカリ性の水溶液中で作用できるプロテアーゼであれば特に限定されないが、細菌、植物、動物等に由来のものが好ましく、例えばＡｌｃａｌａｓｅ（登録商標）シリーズ、Ｓａｖｉｎａｓｅ（登録商標）シリーズ、Ｅｖｅｒｌａｓｅ（登録商標）シリーズ、Ｌｉｑｕａｎａｓｅ（登録商標）シリーズ、Ｐｒｏｇｒｅｓｓ（登録商標）シリーズ（ノボザイムズ社製）、ＰＲＥＦＥＲＥＮＺ（登録商標）シリーズ、ＥＸＣＥＬＬＥＮＺ（登録商標）シリーズ（デュポン社製）、Ｌａｖｅｒｇｙ（登録商標）シリーズ（ＢＡＳＦ社製）、サモアーゼ（登録商標）シリーズ（天野エンザイム社製）等の製品名のプロテアーゼが挙げられる。
【００２９】
本発明の洗浄剤組成物における（Ｅ）プロテアーゼの含有量は、０．０１質量％以上２０質量％以下であり、洗浄力の観点から０．１質量％以上であることが好ましく、０．５質量％以上であることがより好ましく、１．０質量％以上であることが更に好ましく、１．５質量％以上であることが特に好ましい。また、洗浄剤組成物の安定性の観点から１５質量％以下であることが好ましく、１０質量％以下であることがより好ましく、８質量％以下であることが更に好ましく、６質量％以下であることが特に好ましい。（Ｅ）プロテアーゼの含有量の数値範囲としては、０．１質量％以上１５質量％以下であることが好ましく、０．５質量％以上１０質量％以下であることがより好ましく、１．０質量％以上８質量％以下であることが更に好ましく、１．５質量％以上６質量％以下であることが特に好ましい。
【００３０】
本発明の洗浄剤組成物は、上記（Ａ）〜（Ｅ）成分に加えて、必要に応じて水、水溶性溶剤、緩衝剤等を含有させることができる。
【００３１】
本発明の洗浄剤組成物が含有する水としては、特に限定されず、例えば水道水、イオン交換水、精製水、蒸留水、純水、軟水等が挙げられる。
【００３２】
本発明の洗浄剤組成物が含有する水溶性溶剤は、酵素安定性、配合安定性等の観点から配合するものであり、水に溶解する溶剤であれば特に限定されないが、例えばアルコール類、多価アルコール類、グリコールエーテル類が好ましく、具体的には、プロピレングリコール、ジプロピレングリコール、ポリプロピレングリコール、エチレングリコール、ポリエチレングリコール、グリセリン、ポリグリセリン、エチルアルコール、エチレングリコールモノエチルエーテル、ジエチレングリコールモノエチルエーテル、ジエチレングリコールモノブチルエーテル、ジプロピレングリコールモノメチルエーテル、ソルビトール等が挙げられ、プロピレングリコール、エチレングリコール、グリセリンがより好ましく、プロピレングリコールが更に好ましい。なお、本発明の洗浄剤組成物は、水溶性溶剤を、一種単独で含有してもよいし、複数種を含有してもよい。
【００３３】
本発明の洗浄剤組成物における水溶性溶剤の含有量は、０質量％以上８０質量％以下であり、２質量％以上６０質量％以下であることが好ましく、５質量％以上５０質量％以下であることがより好ましく、１０質量％以上４０質量％以下であることが更に好ましい。
【００３４】
本発明の洗浄剤組成物が含有する緩衝剤は、ｐＨ調整剤として機能するとともに洗浄力の向上にも寄与する。本発明の洗浄剤組成物が含有する緩衝剤としては、緩衝作用を有する化合物であれば特に限定されないが、例えばグリシン、リン酸、リン酸ナトリウム、リン酸水素二ナトリウム、リン酸二水素ナトリウム、リン酸カリウム、リン酸水素二カリウム、リン酸二水素カリウム、水酸化ナトリウム、炭酸ナトリウム、炭酸水素ナトリウム、炭酸アンモニウム、メグルミン、アルギニン、トリエタノールアミン、アスコルビン酸、クエン酸、酒石酸、酢酸、塩酸等が挙げられる。なお、本発明の洗浄剤組成物は、緩衝剤を、一種単独で含有してもよいし、複数種を含有してもよい。
【００３５】
本発明の洗浄剤組成物は、上述の成分に加えて必要に応じてその他の添加剤として、例えば香料、染料、防腐剤等を適宜配合することができる。
【００３６】
本発明の洗浄剤組成物のｐＨは、２５℃で６．０以上１０．５以下の範囲に設定することが好ましく、酵素の安定性の観点から、６．５以上の範囲に設定するのがより好ましく、７．０以上の範囲に設定するのが更に好ましい。また、１０．０以下の範囲に設定することがより好ましく、９．０以下の範囲に設定することが更に好ましく、８．０以下の範囲に設定することが特に好ましい。洗浄剤組成物のｐＨの数値範囲としては、６．５以上１０．５以下の範囲に設定することがより好ましく、６．５以上１０．０以下が更に好ましく、６．５以上９．０以下が特に好ましく、７．０以上８．０以下が最も好ましい。
【００３７】
本発明の洗浄剤組成物は、上述の各成分を常法により混合することで製造することができる。
【００３８】
本発明の洗浄剤組成物は、上述のとおり酵素としてアミラーゼを含有することで米飯等が固着した汚れに対する洗浄力に優れると共に、長期保存後も洗浄力の低下が起こり難く、さらに変色や層分離といった外観上の劣化も起こり難い。そのため、本発明の洗浄剤組成物は、大量の食器、調理器具等の洗浄が必要なレストラン、ホテル、学校給食の現場等において、食器洗浄用の洗浄剤として、特に自動食器洗浄機での洗浄の前の浸漬用の洗浄剤として、好適に用いられ得る。
【００３９】
本発明の洗浄剤組成物の使用態様は特に限定されるものではないが、例えば水等で２〜１０００００倍程度に希釈した液（洗浄剤組成物を０．００１質量％〜５０質量％含有する洗浄液）を食器等の洗浄前の浸漬、洗浄等に使用することができる。食器等の洗浄前の浸漬用として使用する場合、その浸漬時間は適宜設定することができ、例えば１分〜２４時間の範囲である。
【００４０】
＜食器の洗浄方法＞
本発明は、上述の本発明の洗浄剤組成物を０．００１質量％〜５０質量％含有する洗浄液に食器を１分〜２４時間浸漬する工程を含む、食器の洗浄方法も含む。本発明の食器の洗浄方法は、上記工程に引き続く工程として、自動食器洗浄機での洗浄工程を含んでもよい。自動食器洗浄機での洗浄工程においては、食器用洗剤として本発明の洗浄剤組成物をそのまま使用してもよいし、別の食器用洗剤を使用してもよい。
【実施例】
【００４１】
以下、実施例により本発明をより詳細に説明するが、本発明はこれらにより何ら限定されるものではない。
【００４２】
下記表１に示す組成の洗浄剤組成物を調製し、以下の試験を行った。表１中の数値の単位は質量％である。「−」は、評価を実施しなかったことを示す。また、ｐＨはｐＨメーター（株式会社堀場製作所製、卓上型ｐＨメーター＜Ｆ−７１＞）を用いて測定した。
【００４３】
［外観安定性試験］
各洗浄剤組成物を、４０℃の条件下で２週間保存した後の外観を目視で観察し、外観安定性を評価した。評価基準は以下のとおりである。
○（優れている）  ：変色が起こらず、透明である。
×（不十分である）：黄変、白濁、層分離等がおきている。
【００４４】
［アミラーゼ安定性試験］
各洗浄剤組成物（原液）を４０℃で２週間保存し、その洗浄剤組成物中の酵素活性値を求めた。酵素活性値は、次のようにして求めた。即ち、２週間保存後、希釈した洗浄剤水溶液に、デンプンとデンプンの分解により発色する指示薬とを含んだ錠剤（ファデバス錠）を投入して所定時間後における色素の濃度を測定した。色素の濃度が高い程デンプンの残存率が低く、洗浄剤組成物中のアミラーゼの活性が保たれていることを示す。逆に色素の濃度が低い程デンプンの残存率が高く、洗浄剤組成物中のアミラーゼの失活が激しいことを示す。評価基準は以下のとおりである。
◎（非常に優れている）：酵素活性の残存率が７０％以上である。
○（優れている）      ：酵素活性の残存率が６０％以上７０％未満である。
×（不十分である）    ：酵素活性の残存率が６０％未満である。
【００４５】
［デンプンに対する洗浄力試験］
お湯３Ｌに保存用米飯２５０ｇを加えて沸騰させ３０分間煮た。その後３０秒間ミキサーにかけてデンプン模擬汚れを作成した。デンプン模擬汚れを食器全体に塗り、２時間乾燥させた。各洗浄剤組成物を水道水で０．２体積％になるように希釈し、４０℃に加温した。加温した上記洗浄剤希釈液に、乾燥したデンプン模擬汚れが付着した食器を１０分間浸漬させた。浸漬後、食器を取り出して軽くすすぎ、乾燥させた。その後、０．０５Ｍヨウ素溶液を食器全体に塗布し、青紫色の発色の程度により食器表面上に残ったデンプン模擬汚れ量を目視で観察した。評価基準は以下のとおりである。
〇（優れている）  ：浸漬部分の汚れが大部分落ちた。
×（不十分である）：浸漬部分の汚れの一部が落ちたか、汚れが全く落ちなかった。
【００４６】
［タンパクに対する洗浄力試験］
沸騰したお湯１Ｌに溶き卵２個分を加えて３０秒間茹でた。その後３０秒間ミキサーにかけてタンパク模擬汚れを作成した。タンパク模擬汚れを食器全体に塗り、１時間乾燥させた。各洗浄剤組成物を水道水で０．２体積％になるように希釈し、４０℃に加温した。加温した上記洗浄剤希釈液に、乾燥したタンパク模擬汚れが付着した食器を１０分間浸漬させた。浸漬後、食器を取り出して６０℃のお湯で１分間すすぎ、乾燥させた。その後、アミドブラックを食器全体に塗布し、染色の程度により食器表面上に残ったタンパク模擬汚れ量を目視で観察した。評価基準は以下のとおりである。
〇（優れている）  ：浸漬部分の汚れが大部分落ちた。
×（不十分である）：浸漬部分の汚れの一部が落ちたか、汚れが全く落ちなかった。
【００４７】
【表１】
0006961114.tif 000004
【００４８】
表１に示したとおり、実施例の洗浄剤組成物は全て、４０℃、２週間の保存後であっても変色が起こらず透明であり、外観安定性に優れていた。また、アミラーゼの活性も６０％以上残っており、特に実施例３〜６ではアミラーゼ活性が７０％以上残っており、アミラーゼ安定性にも優れていることがわかった。さらに実施例の洗浄剤組成物は全てデンプンに対する優れた洗浄力を示した。また、プロテアーゼを含む実施例５及び６の洗浄剤組成物は、タンパクに対する洗浄力にも優れていた。それに対して比較例の洗浄剤組成物は４０℃、２週間の保存後には層分離や黄変が起こり、外観安定性が不十分であった。具体的には、比較例１の洗浄剤組成物は４０℃、２週間の保存後のアミラーゼの失活が激しくアミラーゼ安定性が不十分であり、溶液の黄変も起こり外観安定性も不十分であった。比較例２の洗浄剤組成物はデンプンに対する洗浄力が不十分であった。比較例３の洗浄剤組成物は４０℃、２週間の保存後には黄変がおき、外観安定性が不十分であった。
【００４９】
以上のとおり、本発明の洗浄剤組成物は、デンプンに対する洗浄力に優れると共に、高温で長期間保存した後であっても、変色や層分離、アミラーゼの失活が起こらず、優れた安定性（アミラーゼ安定性及び外観安定性）を有していた。
【産業上の利用可能性】
【００５０】
本発明の洗浄剤組成物は、酵素としてアミラーゼを含有することで米飯等が固着した汚れに対する洗浄力に優れると共に、長期保存後も洗浄力の低下が起こり難く、さらに変色や層分離といった外観上の劣化も起こり難い。そのため、本発明の洗浄剤組成物は、大量の食器、調理器具等の洗浄が必要なレストラン、ホテル、学校給食の現場等において、自動食器洗浄機での洗浄の前の浸漬用の洗浄剤として好適に用いられ得る。
【要約】
【課題】本発明は十分な洗浄力と保存安定性を兼ね備えた洗浄剤組成物、特に前浸漬用の洗浄剤組成物を提供することを目的とする。さらに、本発明は保存中に変色や層分離等を起こさず、外観安定性に優れた洗浄剤組成物を提供することも目的とする。
【解決手段】本発明は、（Ａ）２−アミノ−２−エチル−１，３−プロパンジオール、トリスヒドロキシメチルアミノメタン、２−アミノ−２−メチル−１，３−プロパンジオール及び２−アミノ−２−メチル−１−プロパノールから成る群より選択される少なくとも１種のアルカノールアミン、及び（Ｂ）アミラーゼを含有する洗浄剤組成物である。
【選択図】なし